(57)【特許請求の範囲】
【請求項１】
デマンド制御を行いながら、デマンド制御を全く行わなかったと想定した場合のデマンド値を推定し、推定されたデマンド値に基づいてデマンドが突出している時間帯を検出し、デマンドが突出している時間帯に対応させて設備の運転履歴を抽出し、運転履歴に基づいてデマンド値を突出させる原因となる不適切な設備運用を検出することを特徴とするデマンド制御運用方法。
【請求項２】
各デマンド制御対象（６）において、デマンド制御を行いながら、デマンド制御を全く行わなかったと想定した場合のデマンド値を推定し、推定されたデマンド値に基づいてデマンドが突出している時間帯を検出するとともに、デマンドが突出している時間帯に対応させて設備の運転履歴を抽出し、運転履歴に基づいてデマンド値を突出させる原因となる不適切な設備運用を検出し、
各デマンド制御対象（６）から検出データを遠隔監視センター（５）に伝送し、
遠隔監視センター（５）において、伝送された検出データに基づいて各デマンド制御対象におけるデマンド値を突出させる原因となる不適切な設備運用を検出し、設備運用の改善情報を対応するデマンド制御対象（６）に供給する
ことを特徴とするデマンド制御運用方法。
【請求項３】
デマンド制御のための時限毎に、時々刻々予測電力を算出し、デマンド実績値およびデマンド制御中に算出された予測電力のうち、最大の予測電力に基づいてデマンド制御を全く行わなかったと想定した場合のデマンド値を推定する請求項１または請求項２に記載のデマンド制御運用方法。
【請求項４】
デマンド制御のための時限毎に、時々刻々予測電力を算出し、デマンド実績値および負荷遮断を実施した時間に基づいてデマンド制御を全く行わなかったと想定した場合のデマンド値を推定する請求項１または請求項２に記載のデマンド制御運用方法。
【請求項５】
デマンド制御を行いながら、デマンド制御を全く行わなかったと想定した場合のデマンド値を推定する非制御時デマンド値推定手段（２１）（２２）（２３）と、推定されたデマンド値に基づいてデマンドが突出している時間帯を検出するデマンド突出時間帯検出手段（３１）と、デマンドが突出している時間帯に対応させて設備の運転履歴を抽出する設備運転履歴抽出手段（３２）と、運転履歴に基づいてデマンド値を突出させる原因となる不適切な設備運用を検出する不適切設備運用検出手段（３３）とを含むことを特徴とするデマンド制御運用装置。
【請求項６】
各デマンド制御対象（６）において、デマンド制御を行いながら、デマンド制御を全く行わなかったと想定した場合のデマンド値を推定する非制御時デマンド値推定手段（２１）（２２）（２３）と、推定されたデマンド値に基づいてデマンドが突出している時間帯を検出するデマンド突出時間帯検出手段（３１）と、デマンドが突出している時間帯に対応させて設備の運転履歴を抽出する設備運転履歴抽出手段（３２）と、運転履歴に基づいてデマンド値を突出させる原因となる不適切な設備運用を検出する不適切設備運用検出手段（３３）と、
各デマンド制御対象（６）から検出データを遠隔監視センター（５）に伝送する検出データ伝送手段と、
遠隔監視センター（５）において、伝送された検出データに基づいて各デマンド制御対象におけるデマンド値を突出させる原因となる不適切な設備運用を検出し、設備運用の改善情報を対応するデマンド制御対象に供給する改善情報供給手段と
を含むことを特徴とするデマンド制御運用装置。
【請求項７】
前記非制御時デマンド値推定手段（２１）（２２）は、デマンド制御のための時限毎に、時々刻々予測電力を算出し、デマンド実績値およびデマンド制御中に算出された予測電力のうち、最大の予測電力に基づいてデマンド制御を全く行わなかったと想定した場合に対応するデマンド値を推定するものである請求項５または請求項６に記載のデマンド制御運用装置。
【請求項８】
前記非制御時デマンド値推定手段（２２）（２３）は、デマンド制御のための時限毎に、時々刻々予測電力を算出し、デマンド実績値および負荷遮断を実施した時間に基づいてデマンド制御を全く行わなかったと想定した場合のデマンド値を推定するものである請求項５または請求項６に記載のデマンド制御運用装置。
【発明の詳細な説明】
【０００１】
【発明の属する技術分野】
この発明は、快適性を大きく低下させることなく契約電力を最小にすべくデマンド制御を運用するための方法およびその装置に関する。
【０００２】
【従来の技術】
各種の設備（電力を消費する設備）を含むビルなどにおいてデマンド制御を行って契約電力の低減、消費電力の低減を達成することが行われている。
【０００３】
そして、デマンドの実績値を記録し、集計し、出力するようにしたデマンドコントロール装置が提案されている（特開昭６３−１５６２７号公報参照）。
【０００４】
また、目標電力を超過していないか確認できるように、全時限のデマンド値を記録・出力する機能を有するデマンドコントロール装置も提案されている。
【０００５】
【発明が解決しようとする課題】
特開昭６３−１５６２７号公報に示すデマンドコントロール装置を採用した場合には、デマンド制御を行って、単にデマンド実績値を記録し、集計し、出力することができるだけであるから、デマンド制御を行わなかった場合におけるデマンド値を推定することが不可能である。
【０００６】
また、全時限のデマンド値を記録・出力する機能を有するデマンドコントロール装置において、記録されるデマンド値は、デマンド制御によって強制的に目標電力以下に抑制された後の値であるから、記録されたデマンド値からは、デマンド値が突出していたのか否かを判定することができない。
【０００７】
したがって、何れの場合にも、デマンド制御によって強制的に目標電力以下に抑制された後の値しか記録することができず、デマンド制御を行わなかった場合におけるデマンド値を検出することができないので、デマンドが突出していたか否かを検出することができず、デマンドが突出する時間帯を検出することができないだけでなく、契約電力を押し上げる原因になる不適切な設備運用を容易には検出することができない。
【０００８】
さらに説明する。
【０００９】
実際上、設備（主に、空調設備）の不適切な運用が原因となって契約電力が必要以上に押し上げられている事例が多く見られる。
【００１０】
ここで、契約電力を押し上げる不適切な空調設備の運用とは、デマンド値を突出させるような運用であり、例えば、夏期の昼間の高デマンドが発生しそうな時間帯に空気調和機を起動したり、空気調和機の設定温度を大きく下げたり（冷房運転時の設定温度変更であり、暖房運転時には大きく上げたり）するような運用が例示される。
【００１１】
そして、このような運用を行うと、特に、このような運用を複数台の空気調和機に対して同時に行うと、消費電力のピークが発生し（このようなピークの継続時間は多くの場合、３０分〜１時間程度である）、このピークが今までの電力に重畳され、この結果、契約電力が大きく押し上げられてしまうことになる。
【００１２】
このような不都合は、原因となる設備を特定できれば改善することが可能であり、例えば、原因となる空気調和機を電力に余裕のある時間帯に前倒しして起動するようにしたり（前倒しした分だけ従量料金が増加するが、その増加額は基本料金の低減額に比べると僅かである）、またピークができないように徐々に起動するなどの工夫で解決できることが多い。
【００１３】
したがって、負荷遮断による緊急処置的なデマンド制御だけでなく、設備の運用の改善を併せて推進できるようにすることが強く望まれているにも拘わらず、このような要望を満足させるようなデマンド制御運用方法およびその装置は全く知られていなかった。
【００１４】
【発明の目的】
この発明は上記の問題点に鑑みてなされたものであり、快適性を大きく低下させることなく契約電力を最小にすることができるデマンド制御運用方法およびその装置を提供することを目的としている。
【００１５】
【課題を解決するための手段】
請求項１のデマンド制御運用方法は、デマンド制御を行いながら、デマンド制御を全く行わなかったと想定した場合のデマンド値を推定し、推定されたデマンド値に基づいてデマンドが突出している時間帯を検出し、デマンドが突出している時間帯に対応させて設備の運転履歴を抽出し、運転履歴に基づいてデマンド値を突出させる原因となる不適切な設備運用を検出する方法である。
【００１７】
請求項２のデマンド制御運用方法は、各デマンド制御対象において、デマンド制御を行いながら、デマンド制御を全く行わなかったと想定した場合のデマンド値を推定し、推定されたデマンド値に基づいてデマンドが突出している時間帯を検出するとともに、デマンドが突出している時間帯に対応させて設備の運転履歴を抽出し、運転履歴に基づいてデマンド値を突出させる原因となる不適切な設備運用を検出し、各デマンド制御対象から検出データを遠隔監視センターに伝送し、遠隔監視センターにおいて、伝送された検出データに基づいて各デマンド制御対象におけるデマンド値を突出させる原因となる不適切な設備運用を検出し、設備運用の改善情報を対応するデマンド制御対象に供給する方法である。
【００１８】
請求項３のデマンド制御運用方法は、デマンド制御のための時限毎に、時々刻々予測電力を算出し、デマンド実績値およびデマンド制御中に算出された予測電力のうち、最大の予測電力に基づいてデマンド制御を全く行わなかったと想定した場合のデマンド値を推定する方法である。
【００１９】
請求項４のデマンド制御運用方法は、デマンド制御のための時限毎に、時々刻々予測電力を算出し、デマンド実績値および負荷遮断を実施した時間に基づいてデマンド制御を全く行わなかったと想定した場合のデマンド値を推定する方法である。
【００２０】
請求項５のデマンド制御運用装置は、デマンド制御を行いながら、デマンド制御を全く行わなかったと想定した場合のデマンド値を推定する非制御時デマンド値推定手段と、推定されたデマンド値に基づいてデマンドが突出している時間帯を検出するデマンド突出時間帯検出手段と、デマンドが突出している時間帯に対応させて設備の運転履歴を抽出する設備運転履歴抽出手段と、運転履歴に基づいてデマンド値を突出させる原因となる不適切な設備運用を検出する不適切設備運用検出手段とを含むものである。
【００２２】
請求項６のデマンド制御運用装置は、各デマンド制御対象において、デマンド制御を行いながら、デマンド制御を全く行わなかったと想定した場合のデマンド値を推定する非制御時デマンド値推定手段と、推定されたデマンド値に基づいてデマンドが突出している時間帯を検出するデマンド突出時間帯検出手段と、デマンドが突出している時間帯に対応させて設備の運転履歴を抽出する設備運転履歴抽出手段と、運転履歴に基づいてデマンド値を突出させる原因となる不適切な設備運用を検出する不適切設備運用検出手段と、各デマンド制御対象から検出データを遠隔監視センターに伝送する検出データ伝送手段と、遠隔監視センターにおいて、伝送された検出データに基づいて各デマンド制御対象におけるデマンド値を突出させる原因となる不適切な設備運用を検出し、設備運用の改善情報を対応するデマンド制御対象に供給する改善情報供給手段とを含むものである。
【００２３】
請求項７のデマンド制御運用装置は、前記非制御時デマンド値推定手段として、デマンド制御のための時限毎に、時々刻々予測電力を算出し、デマンド実績値およびデマンド制御中に算出された予測電力のうち、最大の予測電力に基づいてデマンド制御を全く行わなかったと想定した場合に対応するデマンド値を推定するものを採用するものである。
【００２４】
請求項８のデマンド制御運用装置は、前記非制御時デマンド値推定手段として、デマンド制御のための時限毎に、時々刻々予測電力を算出し、デマンド実績値および負荷遮断を実施した時間に基づいてデマンド制御を全く行わなかったと想定した場合のデマンド値を推定するものを採用するものである。
【００２５】
【作用】
請求項１のデマンド制御運用方法であれば、デマンド制御を行いながら、デマンド制御を全く行わなかったと想定した場合のデマンド値を推定し、推定されたデマンド値に基づいてデマンドが突出している時間帯を検出し、デマンドが突出している時間帯に対応させて設備の運転履歴を抽出し、運転履歴に基づいてデマンド値を突出させる原因となる不適切な設備運用を検出するのであるから、従来は両立させることができなかったデマンド制御と、デマンド制御を行わなかった場合に対応するデマンド値に基づくデマンド突出時間帯の検出とを両立させることができ、しかも、デマンド制御とデマンド突出時間帯の検出とを両立させることができるので、よりよいデマンド制御を勧めるためのコンサルティングを実現することができ、さらに、不適切な設備運用を簡単に、かつ確実に検出することができる。
【００２７】
請求項２のデマンド制御運用方法であれば、各デマンド制御対象において、デマンド制御を行いながら、デマンド制御を全く行わなかったと想定した場合のデマンド値を推定し、推定されたデマンド値に基づいてデマンドが突出している時間帯を検出するとともに、デマンドが突出している時間帯に対応させて設備の運転履歴を抽出し、運転履歴に基づいてデマンド値を突出させる原因となる不適切な設備運用を検出し、各デマンド制御対象から検出データを遠隔監視センターに伝送し、遠隔監視センターにおいて、伝送された検出データに基づいて各デマンド制御対象におけるデマンド値を突出させる原因となる不適切な設備運用を検出し、設備運用の改善情報を対応するデマンド制御対象に供給するのであるから、従来は両立させることができなかったデマンド制御と、デマンド制御を行わなかった場合に対応するデマンド値に基づくデマンド突出時間帯の検出とを両立させることができるとともに、遠隔監視センターにおいて複数のデマンド制御対象における不適切な設備運用の管理および不適切な設備運用の改善情報の配信を達成することができる。そして、デマンド制御とデマンド突出時間帯の検出とを両立させることができるので、よりよいデマンド制御を勧めるためのコンサルティングを実現することができる。
【００２８】
請求項３のデマンド制御運用方法であれば、デマンド制御のための時限毎に、時々刻々予測電力を算出し、デマンド実績値およびデマンド制御中に算出された予測電力のうち、最大の予測電力に基づいてデマンド制御を全く行わなかったと想定した場合のデマンド値を推定するのであるから、デマンド制御中に算出された予測電力を用いてデマンド制御を行わなかった場合に対応するデマンド値を推定することにより、請求項１または請求項２と同様の作用を達成することができる。
【００２９】
請求項４のデマンド制御運用方法であれば、デマンド制御のための時限毎に、時々刻々予測電力を算出し、デマンド実績値および負荷遮断を実施した時間に基づいてデマンド制御を全く行わなかったと想定した場合のデマンド値を推定するのであるから、負荷遮断を実施した時間を用いてデマンド制御を行わなかった場合に対応するデマンド値を推定することにより、請求項１または請求項２と同様の作用を達成することができる。
【００３０】
請求項５のデマンド制御運用装置であれば、非制御時デマンド値推定手段によって、デマンド制御を行いながら、デマンド制御を全く行わなかったと想定した場合のデマンド値を推定し、デマンド突出時間帯検出手段によって、推定されたデマンド値に基づいてデマンドが突出している時間帯を検出し、設備運転履歴抽出手段によって、デマンドが突出している時間帯に対応させて設備の運転履歴を抽出し、不適切設備運用検出手段によって、運転履歴に基づいてデマンド値を突出させる原因となる不適切な設備運用を検出することができる。
【００３１】
したがって、従来は両立させることができなかったデマンド制御と、デマンド制御を行わなかった場合に対応するデマンド値に基づくデマンド突出時間帯の検出とを両立させることができ、しかも、デマンド制御とデマンド突出時間帯の検出とを両立させることができるので、よりよいデマンド制御を勧めるためのコンサルティングを実現することができ、さらに、不適切な設備運用を簡単に、かつ確実に検出することができる。
【００３３】
請求項６のデマンド制御運用装置であれば、各デマンド制御対象において、非制御時デマンド値推定手段によって、デマンド制御を行いながら、デマンド制御を全く行わなかったと想定した場合のデマンド値を推定し、デマンド突出時間帯検出手段によって、推定されたデマンド値に基づいてデマンドが突出している時間帯を検出し、設備運転履歴抽出手段によって、デマンドが突出している時間帯に対応させて設備の運転履歴を抽出し、不適切設備運用検出手段によって、運転履歴に基づいてデマンド値を突出させる原因となる不適切な設備運用を検出し、検出データ伝送手段によって、各デマンド制御対象から検出データを遠隔監視センターに伝送する。そして、遠隔監視センターにおいて、改善情報供給手段によって、伝送された検出データに基づいて各デマンド制御対象におけるデマンド値を突出させる原因となる不適切な設備運用を検出し、設備運用の改善情報を対応するデマンド制御対象に供給する。
【００３４】
したがって、従来は両立させることができなかったデマンド制御と、デマンド制御を全く行なわなかったと想定した場合のデマンド値に基づくデマンド突出時間帯の検出とを両立させることができるとともに、遠隔監視センターにおいて複数のデマンド制御対象におけるデマンド値を突出させる原因となる不適切な設備運用の管理およびデマンド値を突出させる原因となる不適切な設備運用の改善情報の配信を達成することができる。そして、デマンド制御とデマンド突出時間帯の検出とを両立させることができるので、よりよいデマンド制御を勧めるためのコンサルティングを実現することができる。
【００３５】
請求項７のデマンド制御運用装置であれば、前記非制御時デマンド値推定手段として、デマンド制御のための時限毎に、時々刻々予測電力を算出し、デマンド実績値およびデマンド制御中に算出された予測電力のうち、最大の予測電力に基づいてデマンド制御を全く行わなかったと想定した場合に対応するデマンド値を推定するものを採用するのであるから、デマンド制御中に算出された予測電力を用いてデマンド制御を行わなかった場合に対応するデマンド値を推定することにより、請求項５または請求項６と同様の作用を達成することができる。
【００３６】
請求項８のデマンド制御運用装置であれば、前記非制御時デマンド値推定手段として、デマンド制御のための時限毎に、時々刻々予測電力を算出し、デマンド実績値および負荷遮断を実施した時間に基づいてデマンド制御を全く行わなかったと想定した場合のデマンド値を推定するものを採用するのであるから、負荷遮断を実施した時間を用いてデマンド制御を行わなかった場合に対応するデマンド値を推定することにより、請求項５または請求項６と同様の作用を達成することができる。
【００３７】
【発明の実施の形態】
以下、添付図面を参照して、この発明のデマンド制御運用方法およびその装置の実施の態様を詳細に説明する。
【００３８】
図１はこの発明のデマンド制御運用方法が適用されるデマンド制御運用装置の一実施態様を示すブロック図である。
【００３９】
このデマンド制御運用装置は、デマンド制御部１と、非制御時デマンド値推定部２と、原因設備抽出部３と、設備運転履歴記憶部４とを含んでいる。
【００４０】
前記デマンド制御部１は、デマンドパルスを入力としてデマンドパルスを積算するパルスカウンタ１１と、デマンド時限から経過時間を減算して残り時間を算出する残り時間演算部１２と、デマンドパルス計数値および残り時間を入力として予測電力を算出する予測電力演算部１３と、残り時間が０となった時に算出された現在電力をデマンド値として保持するデマンド値記憶部１４と、目標電力を保持する目標電力記憶部１５と、目標電力および算出された予測電力を入力として制御の要否を判定して判定結果を出力する制御要否判定部１６と、判定結果を入力として負荷制御のための処理を行う負荷制御部１７と、制御要否判定部１６からの判定結果を入力として制御履歴（例えば、遮断／復帰指令の出力時刻、出力遮断レベルなど）を記憶する制御履歴記憶部１８とを有している。
【００４１】
前記予測電力演算部１３は、例えば、予め設定されているパルス重み×パルス積算値×（６０÷デマンド時限［分］）の演算を行って現在電力を算出し、この現在電力を用いて、現在電力＋（過去Δｔ分間の電力変化量÷サンプリング時間Δｔ）×（残り時間）の演算を行って予測電力を算出する。
【００４２】
前記制御要否判定部１６は、例えば、目標電力÷デマンド時限×経過時間の演算を行って目標現在電力を算出し、経過時間＞Ｔロック時間（時限開始直後の、遮断指令出力を禁止すべき時間）、かつ予測電力≧目標電力、かつ現在電力≧目標現在電力である場合に、遮断指令出力を行って、最大レベルになるまで遮断レベルを１つ上げ、逆に、予測電力＜目標電力、かつ現在電力＜目標現在電力である場合に、復帰指令出力を行って、遮断レベル＝０になるまで遮断レベルを１つ下げる。これら以外の場合には、遮断指令出力、復帰指令出力の何れも行わない。
【００４３】
上記の予測電力は時限開始直後に大きな値が算出され易いという問題があるが、このようにＴロック時間を制御要否の判定式に加えることで、時限開始直後に不要な遮断指令が出力されることを阻止している。
【００４４】
前記負荷制御部１７は、制御要否判定部１６からの遮断レベルを入力として、この遮断レベルに対応して負荷を制御するための処理を行い、負荷制御データを出力する。
【００４５】
前記非制御時デマンド値推定部２は、残り時間、予測電力、および遮断中／非遮断を示す判定結果を入力として最大値を抽出する最大値抽出部２１と、抽出された最大値を入力として非制御時に対応するデマンド値をを保持する非制御時デマンド値記憶部２２と、デマンド値記憶部１４に保持されているデマンド値に対し、非制御時デマンド値記憶部２２に保持されている非制御時に対応するデマンド値に基づく置換処理を行うことによって、デマンド制御を行わなかった場合に対応するデマンド値を出力する非制御時デマンド値出力部２４とを有している。
【００４６】
前記最大値抽出部２１は、デマンド制御が実行された時限について、デマンド制御を行わなかった場合のデマンド値を推定するものであり、具体的には、図２に示すフローチャートの処理を行う。
【００４７】
ステップＳＰ１において、残り時間が０か否か（時限が終了したか否か）を判定し、時限が終了していないと判定された場合には、ステップＳＰ２において、遮断中（遮断レベル＞０）か否かを判定し、遮断中と判定された場合には、ステップＳＰ３において、予測電力の最大値を格納するための変数ＭａｘＶａｌｕｅが算出された予測電力よりも小さいか否かを判定し、変数ＭａｘＶａｌｕｅが算出された予測電力よりも小さいと判定された場合には、ステップＳＰ４において、算出された予測電力を変数ＭａｘＶａｌｕｅに格納する。
【００４８】
逆に、ステップＳＰ１において時限が終了したと判定された場合には、ステップＳＰ５において、変数ＭａｘＶａｌｕｅの値が０であるか否かを判定し、変数ＭａｘＶａｌｕｅの値が０でないと判定された場合には、ステップＳＰ６において、変数ＭａｘＶａｌｕｅの値を非制御時のデマンド推定値としてタイムスタンプを付けて非制御時デマンド値記憶部２２に記憶し、ステップＳＰ７において、変数ＭａｘＶａｌｕｅの値を０に初期化する。
【００４９】
また、ステップＳＰ２において遮断中でないと判定された場合、ステップＳＰ３において変数ＭａｘＶａｌｕｅが算出された予測電力よりも小さくないと判定された場合、ステップＳＰ４の処理が行われた場合、ステップＳＰ５において変数ＭａｘＶａｌｕｅの値が０であると判定された場合、またはステップＳＰ７の処理が行われた場合には、再びステップＳＰ１の判定を行う。
【００５０】
上記の処理は、
（１）  時々刻々出力される（例えば、１０秒毎に出力される）予測電力には、デマンド制御が行われなかった場合のデマンド値に近い値が含まれていること、および
（２）  遮断中（遮断レベル＞０）に算出された予測電力のうち、最大となる値がデマンド制御が行われなかった場合のデマンド値に近い値をとること、
を考慮してなされたものである。
【００５１】
そして、上記の処理を行うことによって、デマンド制御の実行により低減した値が抽出されることを防止することができ、しかも、時限開始直後（Ｔロック時間の間）は遮断指令の出力が阻止されることに伴って、この期間には大きな予測電力が出力され易いにも拘わらず、この値が抽出されることを防止することができる。
【００５２】
したがって、非制御時デマンド値記憶部２２には、遮断指令の出力があった時限のみに対応して、タイムスタンプと共に変数ＭａｘＶａｌｕｅの値（最大値）を保持することができる。
【００５３】
以上を要約すれば、任意に設定された目標電力に基づいて負荷群のデマンド制御を行って消費電力を低減するとともに、遮断指令が出力されたことに応答してタイムスタンプと共に変数ＭａｘＶａｌｕｅの値（最大値）を非制御時デマンド値記憶部２２に保持する。そして、デマンド値記憶部１４にデマンド値（実測値）｛例えば、図３中（Ａ）参照｝を保持する。
【００５４】
そして、非制御時デマンド値出力部２４にて、図３に示すように、デマンド値（実測値）｛例えば、図３中（Ａ）参照｝に対し、非制御時デマンド値記憶部２２にタイムスタンプと共に保持されている変数ＭａｘＶａｌｕｅの値に基づく置換処理を行うことによって、デマンド制御を行わなかった場合に対応するデマンド値｛例えば、図３中（Ｂ）参照｝を得ることができる。
【００５５】
前記設備運転履歴記憶部４は、設備の発停情報、設定温度の変更情報などの設備運転の履歴を表す情報を保持する。
【００５６】
前記原因設備抽出部３は、非制御時デマンド値記憶部２２にタイムスタンプと共に保持されている変数ＭａｘＶａｌｕｅの値を入力としてデマンド突出時間帯を抽出するデマンド突出時間帯抽出部３１と、設備運転の履歴を表す情報とデマンド突出時間帯とを入力として、デマンド突出時間帯に対応する設備運転の履歴を表す情報を抽出する設備運転履歴抽出部３２と、運転履歴に基づいて不適切な設備運用を検出する不適切設備運用検出部３３とを有している。
【００５７】
前記デマンド突出時間帯抽出部３１は、デマンド値が目標電力以上の時限の中からデマンド突出時間帯を抽出する。さらに詳細にいえば、処理対象となる時限のデマンド値が、前後のＮ時限（Ｎは正の整数であり、例えばＮ＝３に設定する）の中で最大値をとり（凸形であり）、かつ、処理対象となる時限のデマンド値よりもＴＨＬｄｉｆｆ（例えば、１０ｋＷ）以上下回るデマンド値が前後のＮ時限に少なくとも１つ存在するとき、その時限を突出する時限と判定し、このようにして判定された突出する時限に基づいてデマンド突出時間帯を抽出する。
【００５８】
前記設備運転履歴抽出部３２は、設備の起動や設定温度の変更が行われてから、実際に消費電力が増加するまでに、遅延（数分〜３０分程度）があることを考慮して、デマンド突出時間帯の開始時刻の１時間程度前からデマンド突出時間帯の終了時刻までの時間帯における設備運転履歴を抽出する。
【００５９】
前記不適切設備運用検出部３３は、抽出された設備運転履歴の中から、設備の起動と設定温度の変更（冷房運転時は設定温度を下げる操作、暖房運転時は設定温度を上げる操作）に関する運転履歴を、契約電力を押し上げる原因になり得る不適切な設備運用として抽出し、記録する。ただし、契約電力の押し上げが軽微なものを除外すべく、設定温度の変更幅が所定幅以上のもの、設定温度変更後の設定温度が第１所定温度以下（冷房運転時）（暖房運転時であれば、第２所定温度以上）のもののみを抽出することが好ましい。
【００６０】
図４は原因設備抽出部の処理を説明するフローチャートである。
【００６１】
非制御時のデマンド値が推定された場合に、ステップＳＰ１において、デマンド値を１つ抽出し、ステップＳＰ２において、抽出したデマンド値が目標電力よりも大きいか否か（デマンド制御がかかったか否か）を判定し、抽出したデマンド値が目標電力よりも大きいと判定された場合には、ステップＳＰ３において、その前後の時間帯に比べ、デマンド値が突出して大きいか否かを判定し、デマンド値が突出して大きいと判定された場合には、ステップＳＰ４において、突出している時間帯（Ｔｓｔａｒｔ〜Ｔｅｎｄ）を求め、ステップＳＰ５において、求められた時間帯に基づいて定める時間帯における設備運転の履歴を抽出し、ステップＳＰ６において、契約電力を押し上げる原因になり得る不適切な設備運用を抽出して記憶する。
【００６２】
そして、ステップＳＰ２において抽出したデマンド値が目標電力よりも大きくないと判定された場合、ステップＳＰ３においてデマンド値が突出して大きくはないと判定された場合、またはステップＳＰ６の処理がおこなわれた場合には、ステップＳＰ７において、全てのデマンドデータに基づく処理が行われたか否かを判定し、処理が行われていないデマンドデータが存在していると判定された場合には、再びステップＳＰ１の処理を行う。
【００６３】
逆に、ステップＳＰ７において全てのデマンドデータに基づく処理が行われたと判定された場合には、ステップＳＰ８において、抽出結果を表示し、そのまま元の処理に戻る。
【００６４】
前記抽出結果の表示は、例えば、図５に示すように行われる。
【００６５】
図５においては、年月日、日最大デマンドとしての目標電力、制御時の実績値、非制御時の推定値、突出時間帯、非制御時のデマンド推定値の経時変化を表すグラフ、原因設備抽出結果、およびコントロールボタンが示されている。そして、不適切な設備運用が複数個抽出された場合には、例えば、デマンド値が大きい順に表示する。
【００６６】
したがって、抽出結果の表示を見ることにより、デマンド値が突出している時間帯を簡単に把握することができるとともに、不適切な設備運用をも簡単に把握することができる。
【００６７】
そして、不適切な設備運用を改善することにより、契約電力の押し上げを解消させることができ、快適性を大きく低下させることなく契約電力を最小にすることができる。
【００６８】
なお、この実施態様において、負荷が空気調和機である場合に、空気調和機が空調動作を行っている部屋の温度情報（例えば、当日における空気調和機の室内機の吸い込み温度の１時間毎の計測値）を併せて検出し、保持しておくことが好ましく、空調動作開始前の室内温度が高温であったか否かなどを判定することができ、ひいては不適切な設備運用か否かの判定精度を高めることができる。
【００６９】
図６は上記の構成のデマンド制御運用装置が適用されるデマンド制御運用支援システムの構成を示す概略図である。
【００７０】
このデマンド制御運用支援システムは、遠隔監視センター５と複数のデマンド制御対象（例えば、複数のビル）６とをネットワーク７を介して接続している。
【００７１】
前記各デマンド制御対象６は、図１に示すデマンド制御運用装置が組み込まれているとともに、デマンド値が突出している時間帯、原因設備抽出結果、起動／設定温度変更などの操作内容、デマンド制御履歴（遮断／復帰指令の出力時刻など）、非制御時デマンド推定値、および日最大デマンド実績値などをネットワーク７を通して遠隔監視センター５に伝送する。
【００７２】
前記遠隔監視センター５は、各デマンド制御対象６から伝送されるデータに基づく解析処理を行って原因設備の特定を行って解析結果をネットワーク７を通して対応するデマンド制御対象６に伝送する。また、必要に応じて設備運用の改善情報をもネットワーク７を通して該当するデマンド制御対象６に伝送する。さらに、必要に応じてネットワーク７を通して各デマンド制御対象に目標電力を伝送する。
【００７３】
前記ネットワーク７は、有線のネットワークであってもよいが、無線のネットワークであってもよく、要はデータの授受を行わせることができるものであれば、どのようなものであっても採用することができる。
【００７４】
上記のデマンド制御運用支援システムを採用した場合には、各デマンド制御対象６において、デマンド値が突出している時間帯、原因設備抽出結果、起動／設定温度変更などの操作内容、デマンド制御履歴（遮断／復帰指令の出力時刻など）、非制御時デマンド推定値、および日最大デマンド実績値などを抽出し、ネットワーク７を通してこれらを遠隔監視センター５に伝送する。
【００７５】
そして、遠隔監視センター５においては、各デマンド制御対象６から伝送されたデータに基づいて、デマンド制御対象６における「デマンド制御の運用状態」および「デマンド値の突出の有無」を一覧表示し（図７参照）、「運用状態」に加え、「不適切な設備運用の有無」をも容易に確認できるようにする。また、各デマンド制御対象６に対応させて一覧表示中に設けられた「情報表示」ボタンを操作することにより、図５に示す表示を行わせることができるようにする。
【００７６】
したがって、複数のデマンド制御対象６に対して、不適切な設備運用の抽出、設備運用の改善提案などを少人数で効率よく行うことができる。
【００７７】
図８はこの発明のデマンド制御運用方法の他の実施態様が適用されるデマンド制御運用装置の構成を示すブロック図である。
【００７８】
このデマンド制御運用装置が図１のデマンド制御運用装置と異なる点は、最大値抽出部２１に代えてデマンド低減量演算部２３を採用した点のみである。
【００７９】
前記デマンド低減量演算部２３は、例えば、遮断レベルが１〜８である場合に、数１の演算を行ってデマンド低減量Ｄｒを算出する。
【００８０】
【数１】
0003742920.tif 000002
【００８１】
ただし、ｗｉは重み係数であり、遮断レベルｉで抑制される電力量の概算値を別途算出し、算出した値に設定する。
【００８２】
数１の演算によってデマンド低減量Ｄｒを算出できるのは、遮断時間が長いほど電力抑制量が多くなること、および各遮断レベル毎に抑制される電力量が異なることによる。
【００８３】
したがって、この実施態様においては、デマンド実績値とデマンド低減量Ｄｒとの和が非制御時のデマンド値に近似できるので、非制御時デマンド値記憶部２２においてこの和を算出し、非制御時のデマンド推定値として保持することによって、図１のデマンド制御運用装置と同様の作用を達成することができる。
【００８４】
【発明の効果】
請求項１の発明は、従来は両立させることができなかったデマンド制御と、デマンド制御を行わなかった場合に対応するデマンド値に基づくデマンド突出時間帯の検出とを両立させることができ、しかも、デマンド制御とデマンド突出時間帯の検出とを両立させることができるので、よりよいデマンド制御を勧めるためのコンサルティングを実現することができ、さらに、不適切な設備運用を簡単に、かつ確実に検出することができるという特有の効果を奏する。
【００８６】
請求項２の発明は、従来は両立させることができなかったデマンド制御と、デマンド制御を行わなかった場合に対応するデマンド値に基づくデマンド突出時間帯の検出とを両立させることができるとともに、遠隔監視センターにおいて複数のデマンド制御対象における不適切な設備運用の管理および不適切な設備運用の改善情報の配信を達成することができ、しかも、デマンド制御とデマンド突出時間帯の検出とを両立させることができるので、よりよいデマンド制御を勧めるためのコンサルティングを実現することができるという特有の効果を奏する。
【００８７】
請求項３の発明は、デマンド制御中に算出された予測電力を用いてデマンド制御を行わなかった場合に対応するデマンド値を推定することにより、請求項１または請求項２と同様の効果を奏する。
【００８８】
請求項４の発明は、負荷遮断を実施した時間を用いてデマンド制御を行わなかった場合に対応するデマンド値を推定することにより、請求項１または請求項２と同様の効果を奏する。
【００８９】
請求項５の発明は、従来は両立させることができなかったデマンド制御と、デマンド制御を行わなかった場合に対応するデマンド値に基づくデマンド突出時間帯の検出とを両立させることができ、しかも、デマンド制御とデマンド突出時間帯の検出とを両立させることができるので、よりよいデマンド制御を勧めるためのコンサルティングを実現することができ、さらに、不適切な設備運用を簡単に、かつ確実に検出することができるという特有の効果を奏する。
【００９１】
請求項６の発明は、従来は両立させることができなかったデマンド制御と、デマンド制御を行わなかった場合に対応するデマンド値に基づくデマンド突出時間帯の検出とを両立させることができるとともに、遠隔監視センターにおいて複数のデマンド制御対象における不適切な設備運用の管理および不適切な設備運用の改善情報の配信を達成することができ、しかも、デマンド制御とデマンド突出時間帯の検出とを両立させることができるので、よりよいデマンド制御を勧めるためのコンサルティングを実現することができるという特有の効果を奏する。
【００９２】
請求項７の発明は、デマンド制御中に算出された予測電力を用いてデマンド制御を行わなかった場合に対応するデマンド値を推定することにより、請求項５または請求項６と同様の効果を奏する。
【００９３】
請求項８の発明は、負荷遮断を実施した時間を用いてデマンド制御を行わなかった場合に対応するデマンド値を推定することにより、請求項５または請求項６と同様の効果を奏する。
【図面の簡単な説明】
【図１】この発明のデマンド制御運用方法が適用されるデマンド制御運用装置の一実施態様を示すブロック図である。
【図２】最大値抽出部の処理を説明するフローチャートである。
【図３】非制御時デマンド値の推定処理を説明する概略図である。
【図４】原因設備抽出部の処理を説明するフローチャートである。
【図５】抽出結果の表示の一例を示す図である。
【図６】図１の構成のデマンド制御運用装置が適用されるデマンド制御運用支援システムの構成を示す概略図である。
【図７】遠隔監視センターにおける一覧表示の一例を示す図である。
【図８】この発明のデマンド制御運用方法の他の実施態様が適用されるデマンド制御運用装置の構成を示すブロック図である。
【符号の説明】
５  遠隔監視センター    ６  デマンド制御対象
２１  最大値抽出部    ２２  非制御時デマンド値記憶部
２３  デマンド低減量演算部    ３１  デマンド突出時間帯抽出部
３２  設備運転履歴抽出部    ３３  不適切設備運用検出部
【図１】
0003742920.tif 000003
【図２】
0003742920.tif 000004
【図３】
0003742920.tif 000005
【図４】
0003742920.tif 000006
【図５】
0003742920.tif 000007
【図６】
0003742920.tif 000008
【図７】
0003742920.tif 000009
【図８】
0003742920.tif 000010